(57)【要約】【課題】  筐体内の機器と外部に引き出した遮断器との間を接続するリード線を利用して試験用の電力を得るとともに必要な制御信号を送出し得る分岐箱付き試験用リード線を提供する。【解決手段】  スイッチギアの筐体２の外部に引き出した遮断器１と筐体２内の機器とを両端部に接続されたコネクタ４，５を介して電気的に接続するリード線１３と、リード線１３の途中に接続されており、リード線１３を介して機器側から試験に必要な電力を試験器６に供給するとともに遮断器１の試験用の開閉信号Ｓ１を試験器６からリード線１３を介して遮断器１に供給するようリード線１３の途中と試験器６とを接続するための電源用分岐線１７及び制御信号用分岐線１８を接続するための分岐用接続端子２０ａ乃至２０ｄを備えた試験用分岐箱２０とを有する。【選択図】  図１
2010032335.tif 000002
【特許請求の範囲】
【請求項１】
引き出し可能に筐体内に収納してある電気機器とともにこの電気機器に関連する制御盤を含む機器を前記筐体内に固定的に収納・配設した受電設備の前記電気機器の試験を行うための試験用リード線であって、
前記筐体の外部に引き出した前記電気機器と前記筐体内の前記機器とを両端部に接続されたコネクタを介して電気的に接続するリード線と、
前記リード線の途中に接続されており、前記リード線を介して前記機器側から試験に必要な電力を試験器に供給するとともに前記電気機器の試験用の制御信号を前記試験器から前記リード線を介して前記電気機器に供給するよう前記リード線の途中と前記試験器とを接続するための電源用分岐線及び制御信号用分岐線を接続するための分岐用接続端子を備えた試験用分岐箱とを有することを特徴とする分岐箱付き試験用リード線。
【請求項２】
請求項１に記載する分岐箱付き試験用リード線において、
前記リード線の機器側のコネクタはスイッチギアの筐体内に配設された機器に接続するとともに、前記電気機器側のコネクタはスイッチギアの筐体から引き出された遮断器に接続する一方、前記分岐用接続端子は前記遮断器の開閉特性試験を行う試験器に電力を供給する電源用分岐線と、前記試験器から前記遮断器を開閉制御するための開閉信号を供給するための制御信号用分岐線とをそれぞれ接続するものであることを特徴とする分岐箱付き試験用リード線。
【発明の詳細な説明】
【技術分野】
【０００１】
本発明は分岐箱付き試験用リード線に関し、特にスイッチギアを構成する遮断器の開閉特性試験を行う場合に適用して有用なものである。
【背景技術】
【０００２】
スイッチギアは遮断器等の電気機器とともに断路器、保護継電器及びこれらの制御部等の各種の受電機器を筐体の内部に収納してなる受電設備である。ここで、スイッチギアの筐体内に固定的に収納・配設してある各種受電機器とともに収納されている遮断器は、通常前記筐体の一方の扉を開き外部に引き出し得るようになっている。したがって、必要な保守・点検乃至試験の多くが遮断器を筐体の外部に引き出した状態で行われる。遮断器の開閉特性試験もその一つである。
【０００３】
図２は従来技術に係るスイッチギアの開閉特性試験の様子を概念的に示す説明図である。試験用リード線を遮断器の開閉特性試験時のスイッチギアとともに示す説明図である。同図に示すように、遮断器１はスイッチギアの筐体２の扉２ａを開いてこの筐体２から引き出されている。図では筐体２の右方の側面が開口するように開く。そして、筐体２内に固定的に収納・配設してある図示しない機器との間は試験用リード線３で接続してある。この試験用リード線３は両端部に接続されるコネクタ４，５を介して前記機器と遮断器１とを電気的に接続するものである。ここで、遮断器１が筐体２内に収納されているときは、他の機器と所定の電気的接続関係の下で接続されるように相互を短いリード線(図示せず)で接続してある。試験用リード線３は、電気的な接続関係を維持したまま遮断器１を外部に引き出し得るように延長ケーブルの機能を果たすもので、筐体２内の前記リード線よりも線長が長い点が異なるだけで前記リード線と同構成の部材等で形成してある。
【０００４】
このように、筐体２内に収納された機器と外部に引き出した遮断器１の電気的な接続関係は試験用リード線３で維持したまま、試験器６から開閉特性試験に必要な開閉信号Ｓ１を遮断器１に供給する。同時に、試験器６は遮断器１の接点（図示せず）間に開閉動作を再現し得る模擬的な電圧を印加するため、遮断器１の電源側端子１ａ及び負荷側端子１ｂにそれぞれ所定の電圧を印加する。このため、試験器６は筐体２内に固定的に配設された機器から電源用ケーブル７を介して所定の直流電力の供給を受けるとともに、制御信号用ケーブル８を介して開閉信号Ｓ１を送出するようになっている。すなわち、試験器６は、筐体２内の機器から電源用ケーブル７を介して動作用の直流電力の供給を受けるとともに、制御信号用ケーブル８を介して遮断器１の開閉信号Ｓ１を筐体２の機器に送出し、さらに擬似電圧供給用ケーブル９を介して遮断器１の電源側端子１ａ及び負荷側端子１ｂ間に所定の電圧を印加する。
【０００５】
従来技術において、前述の如き直流電力の供給及び開閉信号Ｓ１の送出は、扉２ａの反対側で図中左方の側面を開口する扉２ｂを開いた状態で外部に臨むケーブル端子台（図示せず）を利用し、このケーブル端子台に電源用ケーブル７及び制御信号用ケーブル８の一端をクリップ接続することにより、筐体２内に固定的に収納・配設されている機器を介して行っている。
【０００６】
なお、電源用ケーブル７、制御信号用ケーブル８及び擬似電圧供給用ケーブル９の試験器６側は試験器６に設けた接続端子６ａ，６ｂ，６ｃ，６ｄ，６ｅ，６ｆにそれぞれ接続されている。
【０００７】
開閉器の試験に用いる試験用リード線を開示するものとして特許文献１が存在する。
【０００８】
【特許文献１】実公平０５−００２３４３号公報
【発明の開示】
【発明が解決しようとする課題】
【０００９】
しかしながら、上述の如き従来技術においては、試験器６の動作電源及び開閉信号Ｓ１の送出を、筐体２内の配設されたケーブル端子台に電源用ケーブル７及び制御信号用ケーブル８の一端をクリップ接続することにより行っているので、次のような問題を生起する。
【００１０】
１）  ケーブル端子台に接続した電源用ケーブル７及び制御信号用ケーブル８のクリップが外れる可能性があり、外れた場合には直流地絡・短絡を生起する虞がある。
２）  ケーブル端子台を外部に臨ませるために筐体２の扉２ｂを開いておく必要がある。このため、雨天時等に試験を行う場合には漏電防止等に余計な配慮をする必要があり、その分作業が煩雑なものとなる。
３）  電源用ケーブル７及び制御信号用ケーブル８の長さの制限とも相俟って試験器６と遮断器１との距離が大きくなり、試験器６を操作する作業者が遮断器１の動作状況を把握できないまま試験を行う必要がある。
【００１１】
本発明は、上記従来技術に鑑み、筐体内の機器と外部に引き出した遮断器との間を接続するリード線を利用して試験用の電力を得るとともに必要な制御信号を送出し得る分岐箱付き試験用リード線を提供することを目的とする。
【課題を解決するための手段】
【００１２】
上記目的を達成するための本発明の第１の態様は、
引き出し可能に筐体内に収納してある電気機器とともにこの電気機器に関連する制御盤を含む機器を前記筐体内に固定的に収納・配設した受電設備の前記電気機器の試験を行うための試験用リード線であって、
前記筐体の外部に引き出した前記電気機器と前記筐体内の前記機器とを両端部に接続されたコネクタを介して電気的に接続するリード線と、
前記リード線の途中に接続されており、前記リード線を介して前記機器側から試験に必要な電力を試験器に供給するとともに前記電気機器の試験用の制御信号を前記試験器から前記リード線を介して前記電気機器に供給するよう前記リード線の途中と前記試験器とを接続するための電源用分岐線及び制御信号用分岐線を接続するための分岐用接続端子を備えた試験用分岐箱とを有することを特徴とする分岐箱付き試験用リード線にある。
【００１３】
本発明の第２の態様は、
上記第１の態様に記載する分岐箱付き試験用リード線において、
前記リード線の機器側のコネクタはスイッチギアの筐体内に配設された機器に接続するとともに、前記電気機器側のコネクタはスイッチギアの筐体から引き出された遮断器に接続する一方、前記分岐用接続端子は前記遮断器の開閉特性試験を行う試験器に電力を供給する電源用分岐線と、前記試験器から前記遮断器を開閉制御するための開閉信号を供給するための制御信号用分岐線とをそれぞれ接続するものであることを特徴とする分岐箱付き試験用リード線にある。
【発明の効果】
【００１４】
本発明によれば、筐体内の機器と外部に引き出した遮断器との間を接続するリード線の途中に配設した試験用分岐箱の分岐用接続端子を利用してＴ分岐させることにより試験用の電力を得るとともに必要な制御信号を送出し得るようにしたので、電源用分岐線や制御信号用分岐線が前記分岐用接続端子から外れて地絡・短絡等の不測の事故を生起する可能性はほとんどない。また、リード線を接続する以外の為に筐体の扉を開く必要はない。このため、扉は必要最小限度にこれを開くことで所定の試験を行うことができ、漏電対策等の余計な配慮をする必要がないため、迅速且つ合理的な試験を行うことができる。さらに、試験器は、筐体と外に引き出された遮断器との間に配設して所定の試験を行うことができるので、作業者は遮断器の動作状況を確認しながら試験を進めることができる。
【発明を実施するための最良の形態】
【００１５】
以下本発明の実施の形態を図面に基づき詳細に説明する。図１は本発明の実施の形態に係る分岐箱付き試験用リード線を遮断器の開閉特性試験時のスイッチギアとともに示す説明図である。同図中、図２と同一部分には同一番号を付し、重複する説明は省略する。
【００１６】
図１に示すように、リード線１３は直流電力を供給するＰ，Ｎ極の２本の電源線１３ａ，１３ｂと遮断器１を制御する少なくとも４本の制御線１３ｃ，１３ｄ（図には２本のみを示す）を有しており、筐体２内の所定の機器と筐体２の外部に引き出した電気機器である遮断器１とを両端部に接続されたコネクタ４，５を介して電気的に接続している。すなわち、図２に示す試験用リード線３と同様の機能を有するものである。したがって、リード線１３を介して遮断器１に必要な電力を供給して基本的な動作をさせることはできる。
【００１７】
本形態に係る分岐箱付き試験用リード線では、そのリード線１３の途中に試験用分岐箱２０が設けてあり、電源線１３ａ，１３ｂから電源用分岐線１７を、また制御線１３ｃ，１３ｄから制御信号用分岐線１８をそれぞれＴ分岐して試験器６に接続し得るようになっている。そこで、試験用分岐箱２０は分岐用接続端子２０ａ，２０ｂ，２０ｃ、２０ｄを備えている。ここで、電源用分岐線１７は分岐用接続端子２０ａ，２０ｂに接続され、電源線１３ａ，１３ｂを介して筐体２内の機器側から試験に必要な直流電力を試験器６に供給する。また、制御信号用分岐線１８は分岐用接続端子２０ｃ，２０ｄに接続され、遮断器１の試験用の開閉信号Ｓ１を試験器６から制御線１３ｃ，１３ｄを介して遮断器１に供給する。
【００１８】
なお、電源用分岐線１７及び制御信号用分岐線１８の試験器６側は試験器６に設けた接続端子６ａ，６ｂ，６ｃ，６ｄにそれぞれ接続されている。
【００１９】
かかる本形態によれば、筐体２内の機器と外部に引き出した遮断器１との間を接続するリード線１３の途中に配設した試験用分岐箱２０の分岐用接続端子２０ａ乃至２０ｄを利用して電源用分岐線１７及び制御信号用分岐線１８をリード線１３の電源線１３ａ，１３ｂ及び制御線１３ｃ，１３ｄからＴ分岐させることができる。この結果、試験用の直流電力を直接リード線１３を介して得るとともに必要な開閉信号Ｓ１を直接リード線１３を介して遮断器１に送出し得る。
【００２０】
なお、上記実施の形態では受電設備がスイッチギアで、試験を行う電気機器が遮断器で、さらに試験が遮断器の開閉特性試験である場合に関して説明したが、これに限定するものではない。同種の受電設備乃至電気機器の試験には一般的に適用し得る。
【産業上の利用可能性】
【００２１】
本発明は変電設備の運用とともに保守等に係る産業分野で有効に利用することができる。
【図面の簡単な説明】
【００２２】
【図１】本発明の実施の形態に係る分岐箱付き試験用リード線を遮断器の開閉特性試験時のスイッチギアとともに示す説明図である。
【図２】従来技術に係る試験用リード線を遮断器の開閉特性試験時のスイッチギアとともに示す説明図である。
【符号の説明】
【００２３】
１              遮断器
２              筐体
２ａ，２ｂ      扉
４，５          コネクタ
６              試験器
１３              リード線
１７              電源用分岐線
１８              制御信号用分岐線
２０              試験用分岐箱
２０ａ乃至２０ｄ  分岐用接続端子
【図１】
2010032335.tif 000003
【図２】
2010032335.tif 000004